(57)【特許請求の範囲】
【請求項１】
マウスの下に敷き、マウスからはみ出して、使用者の手とマウスの作業台との間に位置し、マウスと一体に動かされる、香料入りマイクロカプセルを使用者の手に接する面の裏面に配置した、シート状のマウス補助具。
【発明の詳細な説明】
【技術分野】
【０００１】  本発明は、コンピュータのポインティングデバイスであるマウスに関する。
【背景技術】
【０００２】  コンピュータのポインティングデバイスであるマウスは、携帯性の点においては小型のものが望ましい。しかし、マウスを小型化するとマウスの左右端部に位置する指とマウスの作業台とが擦れやすくなり、マウスの使用感を損なう。【０００３】  マウス使用時の指の擦れを防止する従来技術には、マウスの端部に位置する指とマウスの作業台との擦れを防止する機構を設けたマウスがある。（たとえば特許参考文献１参照）また、マウスの上面にカバーを取り付ける方法がある。  （たとえば特許参考文献２参照）
【特許文献１】ＵＳＰ５，９９０，８７０
【特許文献２】特開２００１−２１６０８７
【発明の開示】
【発明が解決しようとする課題】
【０００４】  従来のＵＳＰ５，９９０，８７０は、指の擦れを防止する機構を設けたマウスであり、指の擦れを防止する機構を持たないマウスを対象とした考案ではなかった。本考案はこの問題点を解決し、指の擦れを防止する機構を持たないマウスに適用して、手や指の擦れを防止機能を付加する、マウス補助具を提供する。【０００５】  従来の特開２００１−２１６０８７は、マウス上面にカバーを取り付ける考案であり、マウス上面や側面の形状に応じて取り付けを工夫する必要があった。本考案はこの問題点を解決し、マウス上面や側面の形状に応じた取り付けの工夫をすることなく適用できる、マウス補助具を提供する。
【課題を解決するための手段】
【０００６】  本考案は、マウスの下に敷き、マウスからはみ出して、使用者の手とマウスの作業台との間に位置し、マウスと一体に動かされる、香料入りマイクロカプセルを使用者の手に接する面の裏面に配置した、シート状のマウス補助具である。【０００７】  従来の技術では、使用者の手に作用するマウス補助具をマウス上面や側面に取り付けていた。しかし、マウスの形状はマウスの機種により異なるので、マウスの形状に応じて取り付けを工夫する必要があった。【０００８】  本考案では、使用者の手に作用するマウス補助具を、マウスの下に敷くように構成した。マウスの下面は機種にかかわらず概平面なので、概平面形状のマウス補助具をマウス下面に敷くことにより、マウス補助具とマウスとが面で接触して安定する。本考案のマウス補助具では、マウス上面や側面の形状に応じて取り付けの工夫をする必要がない。【０００９】  本考案の特徴を図２と図３で説明する。図２は従来のマウス補助具の説明図である。図２において、円形のマウス２１の側面は２３、従来のマウス補助具５０を２３に対応させた取り付け面は５１、角形のマウス２２の側面は２４、従来のマウス補助具５０を２４に対応させた取り付け面は５２である。【００１０】  マウス２１と２２とでは側面２３と２４の形状が異なるので、従来は対応する取り付け面を５１と５２のように形状を変化させて取り付けの安定を得ていた。マウスの形状に応じてマウス補助具の形状を変えていたので、マウス２１と２２に同一のマウス補助具を適用することが困難であった。このように、従来のマウス補助具は形状の異なるマウスには、同一形状のマウス補助具を適用できなかった。【００１１】  図３は本考案のマウス補助具の説明図である。マウス２１も２２も、下面は共に概平面なので、本考案のマウス補助具の取り付け面１２も平面でよい。したがって、マウス補助具１０の形状を変えることなく、同一のマウス補助具を適用できる。このように、本考案のマウス補助具は、形状の異なるマウス補助具にも、同一形状のマウス補助具を提供する。【００１２】  本考案の作用を図４で説明する。本考案のマウス補助具１０は、マウスの下面からはみ出して、マウス端部に位置する指３０とマウスの作業台との間に配置され、マウス端部に位置する指３０とマウス作業台４０との接触を防止する。本考案のマウス補助具１０はマウス２０と一体に動かされるので、マウス端部に位置する指３０と、マウスの作業台４０との擦れを防止する。本考案は、マウス補助具１０の形により、手首や指先など、擦れを防止する手の部位を選択できる。【００１３】  本考案のマウス補助具１０は、香料入りマイクロカプセルを使用者の手に接する面の裏面に配置したので、マウス不使用時は香料がマイクロカプセル内にあるが、マウス使用時にはマウス補助具１０の下面とマウスの作業台４０とが擦れる際の摩擦でマイクロカプセルが破壊され、香料がカプセルから放出されて香りを発生する。本考案のマウス補助具は、使用者の指に接する面と香りを生ずる面とが表裏を成し、使用者の指は香りを発する面と接しない。
【発明の効果】
【００１４】  本考案のマウス補助具は、マウスに付加して、マウス使用者の指とマウスの台との擦れを防止する。本考案のマウス補助具は、指の擦れを防止する機構を持たないマウスにも、指の擦れを防止する効果を付加する。【００１５】  本考案のマウス補助具は、マウスの形状に応じて取り付けの工夫をする必要がないので、形状の異なるマウスにも、同一形状のマウス補助具を提供する。【００１６】  本考案のマウス補助具は、マウス使用者の不快な指の擦れを香りの発生に利用転換する。本考案のマウス補助具は、マウス使用時のみ香りを生じ、使用者の手に香料が付着しにくいので、使用感がよい。
【発明を実施するための最良の形態】
【００１７】  本考案のマウス補助具の実施例を図１に示す。本考案のマウス補助具は、マウスの移動検出手段を妨げない程度に薄く構成し、実施例では材料を紙で構成して上面１２に印刷技術を用いて文字や絵を表現した。本考案のマウス補助具はマウス下面の移動検出手段が露出する位置に敷いて使用するので、マウス補助具中央部に穴や切れ込みを設けてマウス下面の移動検出手段を露出しやすくしてもよい。本考案はマウス補助具１０の外形により、手首や指の先など、擦れを防止する手の部位を選択できる。上面の高摩擦部１１は、本考案のマウス補助具とマウスとが一体に動かされやすくするものであれば、手段や形状を限定することなく使用できる。上面に高摩擦の材料を用いたり、高摩擦の加工や弱粘着の糊、粘着テープの使用も好ましく、高摩擦の表面を有する積層材料でマウス補助具を構成してもよい。下面１３に香料入りマイクロカプセルを配置すると、指の擦れを香りの発生に転換できる。下面１３に低摩擦の加工や低摩擦の材料を用いても良く、低摩擦の表面を有する積層材料でマウス補助具を構成してもよい。本考案のマウス補助具は従来のマウスパッドのような剛性を必要とせず薄いシート状でよく、輪郭形状でマウスの移動範囲を制限しないので輪郭形状を情報として提供しやすく、定型からの切り抜きとしてもよい。本考案のマウス補助具はマウスと一体に手で動かされるので、従来のマウスパッドのような剛性を必要とせず、薄いシート状でもよい。したがって、図５のように本に綴じ込むのに適する。
【図面の簡単な説明】
【００１８】
【図１】本考案のマウス補助具を示す図である。
【図２】従来のマウス補助具の説明図である。
【図３】本考案のマウス補助具の説明図である。
【図４】本考案のマウス補助具の作用を説明する図である。
【図５】本考案のマウス補助具の実施の形態を示す図である。
【符号の説明】
【００１９】１０本考案のマウス補助具
１１高摩擦部
１２本考案のマウス補助具の上面
１３本考案のマウス補助具の下面
１４切れ込み
１５穴
２０マウス
２１丸形のマウス
２２角形のマウス
２３丸形のマウスの側面
２４角形のマウスの側面
３０マウスの端部に位置する指
４０マウスの作業台
５０従来のマウス補助具
５１従来のマウス補助具の取り付け面
５２従来のマウス補助具の取り付け面
【図１】
0003816916.tif 000002
【図２】
0003816916.tif 000003
【図３】
0003816916.tif 000004
【図４】
0003816916.tif 000005
【図５】
0003816916.tif 000006